(57)【要約】  電気刺激リードは、遠位端部分、近位端部分、及び長手方向長さを有するリード本体と、リード本体の遠位端部分に沿って配置された電極を含む。電極は、第１セットの電極及び第２セットの電極を含む。第１セットの電極の電極同士は、第１の距離だけ互いから離間し、第２セットの電極の電極同士は、第１の距離よりも大きい第２の距離だけ互いから離間し、第１セットの電極は、第２セットの電極から、第２の距離よりも大きいか又はそれに等しい第３の距離だけ離間する。電気刺激リードはまた、リード本体の近位端部分に沿って配置された端子と、端子を電極に電気的に結合する導体と、リード本体の遠位端部分に沿ってかつ第１セットの電極よりも近位側に配置された係止ユニットを含む。
2016518219.tif 000002
【特許請求の範囲】
【請求項１】
電気刺激リードであって、
リード本体を有し、前記リード本体は、遠位端部分、近位端部分、及び長手方向長さを有し、
更に、前記リード本体の遠位端部分に沿って配置された複数の電極を有し、前記複数の電極は、第１セットの電極と、第２セットの電極を含み、前記第１セットの電極は、第１の距離だけ互いから離間し、前記第２セットの電極は、前記第１の距離よりも大きい第２の距離だけ互いから離間し、前記第１セットの電極は、前記第２セットの電極から前記第２の距離よりも大きいか又はそれに等しい第３の距離だけ離間し、
更に、前記リード本体の近位端部分に沿って配置された複数の端子と、
前記複数の端子を前記複数の電極に電気的に結合させる複数の導体と、
前記リード本体の遠位端部分に沿って且つ前記第１セットの電極のうちの全ての電極よりも近位側に配置された複数の係止ユニットと、を有する電気刺激リード。
【請求項２】
前記複数の係止ユニットは、前記第１セットの電極と前記第２セットの電極の間に配置された第１セットの係止ユニットと、前記第２セットの電極の電極同士の間に配置された第２セットの係止ユニットと、を含む請求項１に記載の電気刺激リード。
【請求項３】
前記第２の距離は、前記第１の距離の少なくとも２倍である、請求項１に記載の電気刺激リード。
【請求項４】
前記第３の距離は、前記第２の距離の少なくとも２倍である、請求項１に記載の電気刺激リード。
【請求項５】
前記第３の距離は、前記第２の距離と等しい、請求項１に記載の電気刺激リード。
【請求項６】
前記第２セットの電極のうちの少なくとも１つは、全ての前記係止ユニットよりも近位側に位置する、請求項１に記載の電気刺激リード。
【請求項７】
前記電気刺激リードは、それに沿って位置決めされた前記複数の電極を用いて、平均成人の仙骨神経を刺激するように構成され且つ配置され、前記電気刺激リードが仙骨神経の刺激のために仙骨神経の近くに前記第１セットの電極と共に埋込まれるとき、前記第２セットの電極は、仙骨孔の近くに位置決めされ、前記複数の係止ユニットは、仙骨孔に又はその近くに、又は、仙骨孔の近くの筋膜に又はその近くに係止するように位置決めされる、請求項１に記載の電気刺激リード。
【請求項８】
前記第２セットの電極は、２つの電極を含む、請求項１に記載の電気刺激リード。
【請求項９】
前記少なくとも１つの係止要素は、複数の係止要素を含み、前記複数の係止要素のうちの少なくとも１つは、前記第１セットの電極と前記第２セットの電極の間に配置され、前記複数の係止要素のうちの少なくとも１つは、前記第２セットの電極のうちの隣接した電極同士の間に配置される、請求項１に記載の電気刺激リード。
【請求項１０】
前記少なくとも１つの係止要素は、円錐体を含む、請求項１に記載の電気刺激リード。
【請求項１１】
前記少なくとも１つの係止要素は、複数のフィンを含み、前記フィンの各々は、リード取付け要素に取付けられ且つ前記リード取付け要素から遠ざかるように延びる、請求項１に記載の電気刺激リード。
【請求項１２】
電気刺激システムであって、
請求項１に記載された電気刺激リードと、
前記電気刺激リードに結合可能な制御モジュールと、
前記電気刺激リードを受入れるコネクタと、を含み、
前記制御モジュールは、ハウジングと、前記ハウジング内に配置された電子サブアセンブリを含み、
前記コネクタは、近位端部と、遠位端部と、長手方向長さを有し、
前記コネクタは、更に、コネクタハウジングと、前記コネクタハウジング内に配置された複数のコネクタ接点を有し、
前記コネクタハウジングは、前記電気刺激リードのリード本体の近位端部を受入れるように構成され且つ配置されたポートを前記コネクタの遠位端部に有し、
前記複数のコネクタ接点は、前記電気刺激リードのリード本体の近位端部に配置された複数の端子のうちの少なくとも１つに結合されるように構成され且つ配置される、電気刺激システム。
【請求項１３】
更に、前記電気刺激リードと前記制御モジュールの両方に結合可能なリード延長部を有する、請求項１２に記載の電気刺激システム。
【請求項１４】
電気刺激リードであって、
リード本体を有し、前記リード本体は、遠位端部分、近位端部分、及び長手方向長さを有し、
更に、前記リード本体の遠位端部分に沿って配置された複数の電極を有し、前記複数の電極は、第１セットの電極と、第２セットの電極を含み、前記第１セットの電極は、第１の距離だけ互いから離間し、前記第２セットの電極の電極は、前記第１の距離よりも大きい第２の距離だけ互いから離間し、前記第１セットの電極は、前記第２セットの電極から前記第２の距離よりも大きいか又はそれと等しい第３の距離だけ離間し、
更に、前記リード本体の近位端部分に沿って配置された複数の端子と、
前記端子を前記電極に電気的に結合する複数の導体と、
前記リード本体の遠位端部分に沿って配置された複数の係止ユニットと、を有し、前記複数の係止ユニットは、前記第１セットの電極と前記第２セットの電極の間に配置された第１セットの係止ユニットと、前記第２セットの電極の電極同士の間に配置された第２セットの係止ユニットを含む、電気刺激リード。
【請求項１５】
前記第３の距離は、前記第２の距離の少なくとも２倍である、請求項１４に記載の電気刺激リード。
【請求項１６】
前記第３の距離は、前記第２の距離と等しい、請求項１４に記載の電気刺激リード。
【請求項１７】
前記第２セットの電極のうちの少なくとも１つは、全ての前記係止ユニットよりも近位側に位置する、請求項１４に記載の電気刺激リード。
【請求項１８】
前記電気刺激リードは、それに沿って位置決めされた前記複数の電極を用いて、平均成人の仙骨神経を刺激するように構成され且つ配置され、前記電気刺激リードが仙骨神経の刺激のために仙骨神経の近くに前記第１セットの電極と共に埋込まれるとき、前記第２セットの電極は、仙骨孔の近くに位置決めされ、前記複数の係止ユニットは、仙骨孔に又はその近くに、又は、仙骨孔の近くの筋膜に又はその近くに係止するように位置決めされる、請求項１４に記載の電気刺激リード。
【請求項１９】
電気刺激システムであって、
請求項１４に記載の電気刺激リードと、
前記電気刺激リードに結合可能な制御モジュールと、
前記電気刺激リードを受入れるコネクタと、を含み、
前記制御モジュールは、ハウジングと、前記ハウジング内に配置された電子サブアセンブリを含み、
前記コネクタは、近位端部と、遠位端部と、長手方向長さを有し、
前記コネクタは、更に、コネクタハウジングと、前記コネクタハウジング内に配置された複数のコネクタ接点を有し、
前記コネクタハウジングは、前記電気刺激リードのリード本体の近位端部を受入れるように構成され且つ配置されたポートを前記コネクタの遠位端部に有し、
前記複数のコネクタ接点は、前記電気刺激リードのリード本体の近位端部に配置された複数の端子のうちの少なくとも１つに結合されるように構成され且つ配置される、電気刺激システム。
【請求項２０】
更に、前記電気刺激リードと前記制御モジュールの両方に結合可能なリード延長部を有する、請求項１９に記載の電気刺激システム。
【発明の詳細な説明】
【技術分野】
【０００１】
〔関連出願への相互参照〕
本出願は、２０１３年５月１４日出願の米国仮特許出願第６１／８２３，２４０号及び２０１３年８月２７日出願の米国仮特許出願第６１／８７０，６４９号の「３５Ｕ．Ｓ．Ｃ．§１１９（ｅ）」の下での利益を主張するものであり、その両方は、本明細書に引用によって組み込まれている。
【０００２】
本発明は、埋込可能電気刺激システム、並びにシステムを製造かつ使用する方法、特に、電極を散在させた係止ユニットを有する埋込可能電気刺激リード、並びにリードを製造かつ使用する方法の分野に関する。
【背景技術】
【０００３】
埋込可能電気刺激システムは、様々な病気及び疾患に治療効果を示している。例えば、脊髄刺激システムは、慢性疼痛症候群の処置のための治療法として使用されている。末梢神経刺激は、現在研究中のいくつかの他の用途と共に慢性疼痛症候群及び失禁を処置するのに使用されている。機能的電気刺激システムは、脊髄障害患者の麻痺した四肢の何らかの機能を回復させるのに適用されている。
【０００４】
刺激器は、様々な処置に対して治療を提供するように開発されてきた。刺激器は、制御モジュール（パルス発生器を有する）、１つ又はそれよりも多くのリード、及び各リード上の刺激電極のアレイを含むことができる。刺激電極は、刺激すべき神経、筋肉、又は他の組織と接触するか又はそれらの近くにある。制御モジュールのパルス発生器は、電極によって身体組織に送出される電気パルスを発生させる。
【先行技術文献】
【特許文献】
【０００５】
【特許文献１】米国仮特許出願第６１／８２３，２４０号明細書
【特許文献２】米国仮特許出願第６１／８７０，６４９号明細書
【特許文献３】米国特許第６，１８１，９６９号明細書
【特許文献４】米国特許第６，５１６，２２７号明細書
【特許文献５】米国特許第６，６０９，０２９号明細書
【特許文献６】米国特許第６，６０９，０３２号明細書
【特許文献７】米国特許第６，７４１，８９２号明細書
【特許文献８】米国特許第７，９４９，３９５号明細書
【特許文献９】米国特許第７，２４４，１５０号明細書
【特許文献１０】米国特許第７，６７２，７３４号明細書
【特許文献１１】米国特許第７，７６１，１６５号明細書
【特許文献１２】米国特許第７，９７４，７０６号明細書
【特許文献１３】米国特許第８，１７５，７１０号明細書
【特許文献１４】米国特許第８，２２４，４５０号明細書
【特許文献１５】米国特許第８，３６４，２７８号明細書
【特許文献１６】米国特許出願公開第２００７／０１５００３６号明細書
【特許文献１７】米国特許出願公開第２０１０／０２５６６９６号明細書
【特許文献１８】米国特許第７，４３７，１９３号明細書
【発明の概要】
【発明が解決しようとする課題】
【０００６】
埋込みリードに関する１つの懸念は、リード移動である。これは、経時的に起こって刺激にとって望ましい組織から離れるリードの動きをもたらし、そのために治療的処置の有効性を低下させる場合がある。
【課題を解決するための手段】
【０００７】
一実施形態は、遠位端部分、近位端部分、及び長手方向長さを有するリード本体と、リード本体の遠位端部分に沿って配置された電極とを含む電気刺激リードである。電極は、第１セットの電極及び第２セットの電極を含む。第１セットの電極は、第１の距離だけ互いから離間し、第２セットの電極は、第１の距離よりも大きい第２の距離だけ互いから離間し、第１セットは、第２の距離よりも大きいか又はそれに等しい第３の距離だけ第２セットから離間する。リードはまた、リード本体の近位端部分に沿って配置された端子と、端子を電極に電気的に結合する導体と、リード本体の遠位端部分に沿ってかつ第１セットの電極のうちの電極の全てに対して近位に配置された係止ユニットとを含む。
【０００８】
別の実施形態は、遠位端部分、近位端部分、及び長手方向長さを有するリード本体と、リード本体の遠位端部分に沿って配置された電極とを含む電気刺激リードである。電極は、第１セットの電極及び第２セットの電極を含む。第１セットの電極は、第１の距離だけ互いから離間し、第２セットの電極は、第１の距離よりも大きい第２の距離だけ互いから離間し、第１セットは、第２の距離よりも大きいか又はそれに等しい第３の距離だけ第２セットから離間する。リードはまた、リード本体の近位端部分に沿って配置された端子と、端子を電極に電気的に結合する導体と、リード本体の遠位端部分に沿って配置された係止ユニットとを含む。係止ユニットは、第１セットの電極と第２セットの電極の間に配置された第１セットの係止ユニットと、第２セットの電極のうちの電極の間に配置された第２セットの係止ユニットとを含む。
【０００９】
更に別の実施形態は、上述の電気刺激リードのうちのいずれかと電気刺激リードに結合可能な制御モジュールとを含む電気刺激システムである。
【００１０】
本発明の非限定的及び非網羅的実施形態を以下の図面を参照して説明する。図面では、同様の参照番号は、別に定めない限り、様々な図を通して同様の部分を意味する。
【００１１】
本発明をより良く理解するために、添付の図面に関連して読むべきである以下の「発明を実施するための形態」を参照する。
【図面の簡単な説明】
【００１２】
【図１】本発明により制御モジュールに電気的に結合されたリードを含む電気刺激システムの一実施形態の概略側面図である。
【図２Ａ】本発明により細長デバイスに電気的に結合するように構成され且つ配置された図１の制御モジュールの一実施形態の概略側面図である。
【図２Ｂ】本発明により図２Ａの細長デバイスを図１の制御モジュールに電気的に結合するように構成され且つ配置されたリード延長部の一実施形態の概略側面図である。
【図３】本発明によるリード係止ユニットの一実施形態の概略斜視図である。
【図４】本発明によるリード係止ユニットの第２の実施形態の概略斜視図である。
【図５】本発明によるリード係止ユニットの第３の実施形態の概略斜視図である。
【図６Ａ】本発明によりリード係止ユニットが配置されたリードの遠位部分の一実施形態の概略側面図である。
【図６Ｂ】本発明によりリード係止ユニットが配置されたリードの遠位部分の別の実施形態の概略側面図である。
【図６Ｃ】本発明による図６Ａのリード本体の一部分及びリード係止ユニットのうちの１つの概略断面図である。
【図７】本発明により制御モジュール内に配置された電子サブアセンブリを含む刺激システムの構成要素の一実施形態の概略概観図である。
【発明を実施するための形態】
【００１３】
本発明は、埋込可能電気刺激システム及びシステムを作りこれを使用する方法、特に、電極を散在させた係止ユニットを有する埋込可能電気刺激リード及びリードを作りこれを使用する方法の分野に関する。
【００１４】
適切な埋込可能電気刺激システムは、限定するわけではないが、リードの遠位端に沿って配置された１つ又はそれよりも多くの電極を備えた少なくとも１つのリードと、リードの１つ又はそれよりも多くの近位端に沿って配置された１つ又はそれよりも多くの端子とを含む。リードは、例えば、経皮リード、パドルリード、及びカフリードを含む。リードを有する電気刺激システムの例は、例えば、特許文献３〜１７に見出され、それらの全てが組み込まれている。
【００１５】
図１は、電気刺激システム１００の一実施形態を概略的に示している。電気刺激システムは、制御モジュール（例えば、刺激器又はパルス発生器）１０２と、制御モジュール１０２に結合可能なリード１０３とを含む。リード１０３は、１つ又はそれよりも多くのリード本体１０６、電極１３４のような電極のアレイ１３３、及び１つ又はそれよりも多くのリード本体１０６に沿って配置された端子（例えば、図２Ａ〜２Ｂの２１０）のアレイを含む。少なくともいくつかの実施形態において、リードは、リード本体１０６の長手方向長さに沿って等直径である。
【００１６】
リード１０３は、任意適当な方式で制御モジュール１０２に結合することができる。少なくともいくつかの実施形態において、リード１０３は、制御モジュール１０２に直接に結合する。少なくとも一部の他の実施形態において、リード１０３は、１つ又はそれよりも多くの中間デバイス（例えば、図２Ａ〜２Ｂの２００）を通して制御モジュール１０２に結合する。例えば、少なくともいくつかの実施形態において、１つ又はそれよりも多くのリード延長部２２４（例えば、図２Ｂを参照）が、リード１０３と制御モジュール１０２の間に配置され、リード１０３と制御モジュール１０２の間の距離だけ延びることができる。１つ又はそれよりも多くのリード延長部に加えて又はそれらの代わりに、例えば、スプリッタ又はアダプタ等、又はその組合せを含む他の中間デバイスを使用することができる。電気刺激システム１００が、リード１０３と制御モジュール１０２の間に配置された複数の細長デバイスを含む場合に、中間デバイスは、任意適当な配置に構成することができることは理解されるであろう。
【００１７】
図１には、制御モジュール１０２へのリード１０３の結合を容易にするように構成され且つ配置されたスプリッタ１０７を有する電気刺激システム１００が示されている。スプリッタ１０７は、リード１０３の近位端に結合するように構成されたスプリッタコネクタ１０８と、制御モジュール１０２に結合するように構成され且つ配置された１つ又はそれよりも多くのスプリッタ尾部１０９ａ及び１０９ｂ（又は別のスプリッタ、リード延長部、又はアダプタ等）とを含む。
【００１８】
制御モジュール１０２は、典型的には、コネクタハウジング１１２及び密封電子ハウジング１１４を含む。電子サブアセンブリ１１０及び任意的な電源１２０は、電子ハウジング１１４に配置される。制御モジュールコネクタ１１４は、コネクタハウジング１１２に配置される。制御モジュールコネクタ１４４は、リード１０３と制御モジュール１０２の電子サブアセンブリ１１０の間の電気的接続を行うように構成され且つ配置される。
【００１９】
電気刺激システム、又はリード本体１０６のうちの１つ又はそれよりも多くと制御モジュール１０２とを含む電気刺激システムの構成要素は、典型的には、患者の身体の中に埋込まれる。電気刺激システムは、限定するわけではないが、脳刺激、神経刺激、脊髄刺激、及び筋刺激などを含む様々な用途に使用することができる。
【００２０】
電極１３４は、あらゆる導電性の生体適合性材料を使用して作ることができる。適切な材料の例は、金属、合金、導電性ポリマー、導電性炭素等、並びにそれらの組合せを含む。少なくともいくつかの実施形態において、電極１３４のうちの１つ又はそれよりも多くは、プラチナ、プラチナイリジウム、パラジウム、パラジウムロジウム、又はチタンのうちの１つ又はそれよりも多くから形成される。各アレイ１３３における電極１３４の数は、変化することができる。例えば、２、４、６、８、１０、１２、１４、１６、又はそれよりも多くの電極１３４が存在することができる。認識されるように、他の数の電極１３４を使用することもできる。
【００２１】
１つ又はそれよりも多くのリード本体１０６の電極は、典型的には、例えば、シリコーン、ポリウレタン、ポリエーテルエーテルケトン（「ＰＥＥＫ」）、及びエポキシ等、又はその組合せのような非導電性の生体適合性材料に配置されるか又はそれによって分離される。リード本体１０６は、例えば、成形（射出成形を含む）及び鋳造などを含むあらゆる工程によって望ましい形状に形成することができる。非導電材料は、典型的には、１つ又はそれよりも多くのリード本体１０６の遠位端から１つ又はそれよりも多くのリード本体１０６の各々の近位端まで延びる。
【００２２】
端子（例えば、図２Ａ〜２Ｂの２１０）は、典型的には、対応するコネクタ接点（例えば、図２Ａ〜２Ｂの２１４及び図２Ｂの２４０）に電気接続するために電気刺激システム１００（並びに任意的なスプリッタ、リード延長部、又はアダプタ等）の１つ又はそれよりも多くのリード本体１０６の近位端に沿って配置される。コネクタ接点は、コネクタ（例えば、図１〜２Ｂの１４４、及び図２Ｂの２２２）に配置され、それは、次に、例えば、制御モジュール１０２（又はリード延長部、スプリッタ、又はアダプタ等）上に配置される。導電性ワイヤ又はケーブル等（図示せず）は、端子から電極１３４まで延びる。典型的には、１つ又はそれよりも多くの電極１３４は、各端子に電気的に結合される。少なくともいくつかの実施形態において、各端子は、１つの電極１３４だけに接続される。
【００２３】
導電性ワイヤ（「導体」）は、リード本体１０６の非導電材料に埋込むことができ、又はリード本体１０６に沿って延びる１つ又はそれよりも多くの内腔（図示せず）に配置することができる。いくつかの実施形態において、各導体のために個々の内腔がある。他の実施形態において、２つ又はそれよりも多くの導体が、内腔を通って延びる。例えば、患者の身体内でリード本体１０６の配置を容易にするためのスタイレットを挿入するためにリード本体１０６の近位端で又はその近くで開く１つ又はそれよりも多くの内腔（図示せず）が存在する場合がある。これに加えて、例えば、１つ又はそれよりも多くのリード本体１０６の埋込み部位の中への薬物又は治療剤の注入のためにリード本体１０６の遠位端で又はその近くで開く１つ又はそれよりも多くの内腔（図示せず）が存在する場合がある。少なくとも１つの実施形態において、１つ又はそれよりも多くの内腔は、連続的に又は定期的に食塩水又は硬膜外液等で洗い流される。少なくともいくつかの実施形態において、１つ又はそれよりも多くの内腔は、遠位端で恒久的に又は取外し可能に密封可能である。
【００２４】
図２Ａは、制御モジュールコネクタ１４４の一実施形態に結合するように構成され且つ配置された１つ又はそれよりも多くの細長デバイス２００の近位端の一実施形態の概略側面図である。１つ又はそれよりも多くの細長デバイスは、例えば、リード本体１０６、１つ又はそれよりも多くの中間デバイス（例えば、図１のスプリッタ１０７、図２Ｂのリード延長部２２４、又はアダプタ等、又はその組合せ）、又はその組合せを含むことができる。
【００２５】
制御モジュールコネクタ１４４は、方向矢印２１２ａ及び２１２ｂによって示すように、細長デバイス２００の近位端を挿入することができる少なくとも１つのポートを定める。図２Ａでは（及び他の図では）、２つのポート２０４ａ及び２０４ｂを有するコネクタハウジング１１２が示されている。コネクタハウジング１１２は、例えば、１つ、２つ、３つ、４つ、５つ、６つ、７つ、８つ、又はそれよりも多くのポートを含む任意適当な数のポートを定めることができる。
【００２６】
制御モジュールコネクタ１４４はまた、各ポート２０４ａ及び２０４ｂ内に配置されたコネクタ接点２１４のような複数のコネクタ接点を含む。細長デバイス２００がポート２０４ａ及び２０４ｂの中に挿入される時に、コネクタ接点２１４は、細長デバイス２００の近位端に沿って配置された複数の端子２１０と位置合わせされて制御モジュール１０２をリード１０３の遠位端に配置された電極（図１の１３４）に電気的に結合することができる。制御モジュールのコネクタの例は、例えば、特許文献９及び特許文献１４に見出され、それらの特許は引用によって組み込まれている。
【００２７】
図２Ｂは、電気刺激システム１００の別の実施形態の概略側面図である。電気刺激システム１００は、１つ又はそれよりも多くの細長デバイス２００（例えば、リード本体１０６、スプリッタ１０７、アダプタ、又は別のリード延長部等、又はその組合せ）を制御モジュール１０２に結合するように構成され且つ配置されたリード延長部２２４を含む。図２Ｂでは、制御モジュールコネクタ１４４に定められた単一ポート２２４に結合されたリード延長部２２４が示されている。これに加えて、単一細長デバイス２００に結合するように構成され且つ配置されたリード延長部２２４が示されている。代替実施形態において、リード延長部２２４は、制御モジュールコネクタ１４４に定められた複数のポート２０４に結合するように、又は複数の細長デバイス２００を受入れるように、又はその両方に対して構成され且つ配置される。
【００２８】
リード延長部コネクタ２２２は、リード延長部２２４上に配置される。図２Ｂでは、リード延長部２２４の遠位端２２６に配置されたリード延長部コネクタ２２２が示されている。リード延長部コネクタ２２２は、コネクタハウジング２２８を含む。コネクタハウジング２２８は、方向矢印２３８によって示すように、細長デバイス２００の端子２１０を挿入することができる少なくとも１つのポート２３０を定める。コネクタハウジング２２８はまた、コネクタ接点２４０のような複数のコネクタ接点を含む。細長デバイス２００がポート２３０の中に挿入される時に、コネクタハウジング２２８に配置されたコネクタ接点２４０は、細長デバイス２００の端子２１０と位置合わせされてリード延長部２２４をリード（図１の１０３）に沿って配置された電極（図１の１３４）に電気的に結合することができる。
【００２９】
少なくともいくつかの実施形態において、リード延長部２２４の近位端は、リード１０３（又は他の細長デバイス２００）の近位端のように構成され且つ配置される。リード延長部２２４は、遠位端２２６の反対側にあるリード延長部２２４の近位端２４８にコネクタ接点２４０を電気的に結合する複数の導電性ワイヤ（図示せず）を含むことができる。少なくともいくつかの実施形態において、リード延長部２２４に配置された導電性ワイヤは、リード延長部２２４の近位端２４８に沿って配置された複数の端子（図示せず）に電気的に結合することができる。少なくともいくつかの実施形態において、リード延長部２２４の近位端２４８は、別のリード延長部（又は別の中間デバイス）に配置されたコネクタの中に挿入されるように構成され且つ配置される。他の実施形態では（かつ図２Ｂに示すように）、リード延長部２２４の近位端２４８は、制御モジュールコネクタ１４４の中に挿入されるように構成され且つ配置される。
【００３０】
リード係止ユニットがリードに取付けられ、リードの患者組織内への係止を容易にすることができる。用語「組織」は、限定するわけではないが、筋組織、結合組織、器官組織、骨、軟骨、及び神経組織などを含む。従来のリード係止具とは対照的に、それらのリード係止ユニットは、埋込み過程中にイントロデューサを通してリードと共に送出することができる。リード係止ユニットは、埋込み後にリードを患者組織に対して留めてリードの横方向又は軸線方向（又は横方向及び軸線方向の両方の）移動を防止又は低減する係止要素を含む。リード係止ユニットは、仙骨神経刺激、脊髄刺激、又は他の患者組織及び器官の刺激のためのリードに対して特に有用であるとすることができる。
【００３１】
図３は、リード本体（例えば、図１に示すようなリード本体１０６又は図６Ａのリード本体６０６）の遠位端部分に沿って配置されることになるリード係止ユニット３５０の一実施形態の概略斜視図である。リード係止ユニットは、患者の身体内に埋込む時に周囲組織へのリード本体の係止を容易にする。
【００３２】
係止ユニット３５０は、管状（例えば、円筒形）構成を有するリード取付け要素３５４を含む。図示のように、リード取付け要素３５４は、近位端３５１、遠位端３５３、及び２つの端部の間を延びる中心内腔３５６を有する。中心内腔３５６は、「取付け内腔３５６」と呼ばれる場合がある。取付け内腔３５６は、リードのリード本体の少なくとも一部分を受入れるように使用される。少なくともいくつかの実施形態において、リード取付け要素３５４は、円形断面を有する。しかし、リード取付け要素３５４は、楕円形、矩形、多角形、不規則形状、又は任意その他の適切な横断面を有する形状を含む任意その他の適切な形状に形成することができる。リード取付け要素３５４は、その全長に沿って均一な横断面又はその長さに沿って様々な横断面を有することができる。少なくともいくつかの実施形態において、リード取付け要素３５４の断面及び寸法は、リード本体の構成によって決まる。少なくともいくつかの実施形態において、リード本体の外径は、リード取付け要素がリード本体上にぴったり適合するように、取付け内腔３５６の直径よりも僅かに大きくすることができる。
【００３３】
係止ユニット３５０は、リード取付け要素３５４に結合される少なくとも１つの係止要素３５２を含む。結合は、リード取付け要素３５４に沿ってどこでも行うことができるが、図示の実施形態において、係止要素は、その遠位端３５３で又はそれに直ぐ隣接してリード取付け要素に結合される。
【００３４】
図示の実施形態において、係止要素３５２は、リード取付け要素３５４にわたって延びる円錐体を含む。少なくともいくつかの実施形態において、円錐体がリード取付け要素３５４にわたって及びそれを超えて延びるように、円錐体は、リード取付け要素３５４よりも長い。他の実施形態において、円錐体は、リード取付け要素よりも短く、リード取付け要素の一部分にわたって延びることができるに過ぎない。係止要素３５２は、任意その他の適切な形状を有し、患者組織と相互作用してリードを組織に係止することができる。
【００３５】
少なくともいくつかの実施形態において、リード取付け要素３５４の内面３５５は、リード上のリード係止ユニットの位置を維持するのを助けるようにパターン付けすることができる。パターンは、規則的である場合があり又は不規則である場合があり、限定するわけではないが、表面粗化、切り欠き、溝、又は規則的又は不規則形状などのような特徴を含むことができる。少なくともいくつかの実施形態において、リード本体１０６の外側面をパターン付けすることができる。パターンは、規則的である場合があり又は不規則である場合があり、限定するわけではないが、表面粗化、切り欠き、溝、又は規則的又は不規則形状などのような特徴を含むことができる。いくつかの実施形態において、リード取付け要素の内面３及びリード本体の外側面の両方がパターン付けされる。リード取付け要素及びリード本体のパターン付けは、相補的とすることができる。少なくともいくつかの実施形態において、リード取付け要素の内面３上のパターン及びリード本体の外部面上のパターンは、２つのパターンが互いに連結するように発生させることができる。
【００３６】
上述のパターン付けは、限定するわけではないが、融除（例えば、ＲＦ又はレーザ融除）、研削、ギザギザつけ、又は化学エッチングなどを含む任意適当な方法を使用して形成することができる。パターン付けは、リード本体１０６のスペーサ上（すなわち、隣接した又は連続した電極の間）で行うことができる。
【００３７】
係止ユニット３５０は、リード本体と摩擦嵌めを形成して係止ユニットを所定位置に保持することができる。これに加えてかつこれに代えて、シリコーン接着剤のような接着剤を使用して、係止ユニット３５０をリード本体に結合することができる。
【００３８】
係止ユニット３５０は、限定するわけではないが、金属、ポリマー、又は合金などを含む任意適当な生体適合性材料のような任意適当な材料で形成することができる。少なくともいくつかの実施形態において、係止ユニット３５０は、シリコーン又はポリウレタン等で形成される。いくつかの実施形態において、使用する材料は、組織の損傷又は傷害を低減するか又は一部の場合にこれを回避し、又はイントロデューサを通して係止ユニットを備えたリードの送出を容易にするのに十分な可撓性を有しながら、リード本体を周囲組織に係止するのに十分な剛性を有する。
【００３９】
特に、係止ユニット３５０は、針又はカニューレのようなイントロデューサを通して配備を容易にするように構成することができる。少なくともいくつかの実施形態において、係止ユニット３５０は、埋込み中にイントロデューサ内でそれを圧縮することができるように十分に柔軟である。イントロデューサを取り外す時に、係止ユニット３５０は、次に、リード本体１０６を組織に係止するように拡張することができる。
【００４０】
図４は、リード取付け要素４５４及び少なくとも１つの係止要素４５８を含むリード係止ユニット４５０の第２の実施形態を示している。リード取付け要素４５４は、リード本体１０６の一部分を受入れてそれに取付けられる。少なくとも１つの係止要素４５８は、リード本体を患者組織に係止する。
【００４１】
リード取付け要素４５４は、管状（例えば、円筒形）構成を有し、かつ近位端４５１、遠位端４５３、及びそれらの間を延びる中心内腔４５６を含む。中心内腔はまた、「取付け内腔４５６」と呼ばれる場合がある。少なくともいくつかの実施形態において、リード取付け要素４５４は、円形の横断面を有する。しかし、リード取付け要素４５４は、楕円形、矩形、多角形、不規則形状、又は任意その他の適切な断面を有する形状を含む任意その他の適切な形状に形成することができる。リード取付け要素４５４は、その全長に沿って均一な横断面又はその長さに沿って様々な横断面を有することができる。少なくともいくつかの実施形態において、リード取付け要素４５４の断面及び寸法は、リード本体の構成によって決まる。少なくともいくつかの実施形態において、リード本体の外径は、取付け内腔４５６の直径よりも僅かに大きくすることができる。
【００４２】
少なくともいくつかの実施形態において、リード取付け要素４５４の内面４５５は、リード上のリード係止ユニットの位置を維持するのを助けるようにパターン付けすることができる。パターンは、規則的である場合があり又は不規則である場合があり、限定するわけではないが、表面粗化、切り欠き、溝、又は規則的又は不規則形状などのような特徴を含むことができる。少なくともいくつかの実施形態において、リード本体１０６の外側面をパターン付けすることができる。パターンは、規則的である場合があり又は不規則である場合があり、限定するわけではないが、表面粗化、切り欠き、溝、又は規則的又は不規則形状などのような特徴を含むことができる。いくつかの実施形態において、リード取付け要素の内面３及びリード本体の外側面の両方がパターン付けされる。リード取付け要素及びリード本体のパターン付けは、相補的とすることができる。少なくともいくつかの実施形態において、リード取付け要素の内面３上のパターン及びリード本体及びリード本体の外部面上のパターンは、２つのパターンが互いに連結するように発生させることができる。
【００４３】
上述のパターン付けは、限定するわけではないが、融除（例えば、ＲＦ又はレーザ融除）、研削、ギザギザつけ、又は化学エッチングなどを含む任意適当な方法を使用して形成することができる。パターン付けは、リード本体１０６のスペーサ上（すなわち、隣接した又は連続した電極の間）で行うことができる。
【００４４】
係止ユニット４５０は、リード本体と摩擦嵌めを形成して係止ユニットを所定位置に保持することができる。これに加えてかつこれに代えて、シリコーン接着剤のような接着剤を使用して、係止ユニット３５０をリード本体に結合することができる。
【００４５】
係止要素４５８は、リード取付け要素４５４の周りに配置され、かつリード取付け要素４５４から遠ざかるように延びる。図示の実施形態において、係止要素４５８はフィンである。あらゆる数のフィン（又は他の取付け要素）を使用することができる。図４に示す実施形態は、リード取付け要素４５４の円周の回りに配置された４つのフィン４８０を含む。図４に示すフィン４８０は、台形構成を有するが、フィン４８０は、限定するわけではないが、三角形、矩形、及び不規則形状などを含む任意適当な形状を有することができることは認識されるであろう。限定するわけではないが、２つ、３つ、４つ、５つ、６つ、７つ、８つ、又はそれよりも多くのフィンを含む任意適当な数のフィンをリード取付け要素４５４の円周の回りに配置することができる。フィンは、リード取付け要素４５４の円周の回りに均一に又は不均一に離間させることができる。いくつかの実施形態において、フィン４８０は、図４に示すようにリード取付け要素と９０度の角度を形成するが、フィンは、リード取付け要素から異なる角度（例えば、３０〜８５度の範囲の角度）で延びることができることは認識されるであろう。
【００４６】
フィン４８０は、リード取付け要素４５４の円周の回りに配置されると同時にリード取付け要素４５４の部分長さに沿って延びると図４に示されている。しかし、図５に示す実施形態のような一部の他の実施形態において、フィン４８０は、リード取付け要素４５４の全長に沿って延びることができる。
【００４７】
図５は、リード取付け要素５５４と少なくとも１つの係止要素５５８とを含むリード係止ユニット５５０の第３の実施形態を示している。リード取付け要素５５４は、リード本体１０６の一部分を受入れてそれに取付けられる。少なくとも１つの係止要素５５８は、リード本体を患者組織に係止する。
【００４８】
リード取付け要素５５４は、管状（例えば、円筒形）構成を有し、かつ近位端５５１、遠位端５５３、及びそれらの間を延びる中心内腔５５６を含む。中心内腔はまた、「取付け内腔５５６」と呼ばれる場合がある。少なくともいくつかの実施形態において、リード取付け要素５５４は、円形の横断面を有する。しかし、リード取付け要素５５４は、楕円形、矩形、多角形、不規則形状、又は任意その他の適切な断面を有する形状を含む任意その他の適切な形状で形成することができる。リード取付け要素５５４は、その全長に沿って均一な横断面又はその長さに沿って様々な横断面を有することができる。少なくともいくつかの実施形態において、リード取付け要素５５４の断面及び寸法は、リード本体の構成によって決まる。少なくともいくつかの実施形態において、リード本体の外径は、取付け内腔５５６の直径よりも僅かに大きくすることができる。
【００４９】
少なくともいくつかの実施形態において、リード取付け要素５５４の内面５５５は、リード上のリード係止ユニットの位置を維持するのを助けるようにパターン付けすることができる。パターンは、規則的である場合があり又は不規則である場合があり、限定するわけではないが、表面粗化、切り欠き、溝、又は規則的又は不規則形状などのような特徴を含むことができる。少なくともいくつかの実施形態において、リード本体１０６の外側面をパターン付けすることができる。パターンは、規則的である場合があり又は不規則である場合があり、限定するわけではないが、表面粗化、切り欠き、溝、又は規則的又は不規則形状などのような特徴を含むことができる。いくつかの実施形態において、リード取付け要素の内面３及びリード本体の外側面の両方がパターン付けされる。リード取付け要素及びリード本体のパターン付けは、相補的とすることができる。少なくともいくつかの実施形態において、リード取付け要素の内面３上のパターン及びリード本体の外部面上のパターンは、２つのパターンが互いに連結するように発生させることができる。
【００５０】
上述のパターン付けは、限定するわけではないが、融除（例えば、ＲＦ又はレーザ融除）、研削、ギザギザつけ、又は化学エッチングなどを含む任意適当な方法を使用して形成することができる。パターン付けは、リード本体１０６のスペーサ上（すなわち、隣接した又は連続した電極の間）で行うことができる。
【００５１】
係止ユニット５５０は、リード本体と摩擦嵌めを形成して係止ユニットを所定位置に保持することができる。これに加えてかつこれに代えて、シリコーン接着剤のような接着剤を使用して、係止ユニット３５０をリード本体に結合することができる。
【００５２】
係止要素５５８は、リード取付け要素５５４の周りに配置され、かつリード取付け要素５５４から離れて延びる。図示の実施形態において、係止要素５５８はフィンである。あらゆる数のフィン（又は他の取付け要素）を使用することができる。図５に示す実施形態は、リード取付け要素５５４の円周の回りに配置された５つのフィン５８０を含む。図５に示すフィン５８０は、三角形構成を有するが、フィン５８０は、限定するわけではないが、台形、矩形、及び不規則形状などを含む任意適当な形状を有することができることは認識されるであろう。限定するわけではないが、２つ、３つ、４つ、５つ、６つ、７つ、８つ、又はそれよりも多くのフィンを含む任意適当な数のフィンをリード取付け要素５５４の円周の回りに配置することができる。フィンは、リード取付け要素５５４の円周の回りに均一に又は不均一に離間させることができる。いくつかの実施形態において、フィン５８０は、図５に示すようにリード取付け要素と９０度の角度を形成するが、フィンは、リード取付け要素から異なる角度（例えば、３０〜８５度の範囲の角度）で延びることができることは認識されるであろう。
【００５３】
フィン５８０は、リード取付け要素５５４の円周の回りに配置されると同時にリード取付け要素５５４の部分長さに沿って延びるように図５に示されている。しかし、図５に示す実施形態のような一部の他の実施形態において、フィン５８０は、リード取付け要素５５４の全長に沿って延びることができる。
【００５４】
図３〜５に示して上述した係止ユニットは、患者組織内でリードを係止するのに有用であるとすることができる。他の適切な係止ユニットの例は、引用によって本明細書に引用によって組み込まれている特許文献１７に見出すことができる。組織内にリードを係止する時に、組織内の係止ユニットの配置の特定の部位も係止を強化することができる。例えば、リードが、仙骨神経を刺激するために使用されることになり、かつリードが、仙骨孔を通して埋込まれる場合に、それらが仙骨孔又は仙骨孔の周りの組織（筋膜のような）又はそのあらゆる組合せと係合することになるように、リード上の係止ユニットのいくつかに位置決めすることが有用である場合がある。そのようにするために、それらの係止ユニットは、リードに沿って適切な位置に置くべきである。仙骨神経の刺激は、過活動膀胱及び尿失禁又は便失禁等、及び他の疾患又は機能不全を処置するのに有用であるとすることができる。
【００５５】
更に、係止ユニットに対して近位の電極の配置は、係止ユニットを機械的に安定化させてリード上のその位置から係止ユニットが脱落又は摺動するのを防止又は低減することができることが見出されている。電極はまた、係止ユニットの係止効果を高めることができる。更に、係止ユニットの近くの電極の配置は、蛍光透視法などの技術によって係止ユニットの部位の識別を容易にする。電極は、蛍光透視画像上で目立つのに対して、係止ユニットは、多くの場合にリード本体に類似する材料で作られ、多くの場合に蛍光透視画像上で識別するのはより困難である。
【００５６】
係止ユニットに対して近位に電極を設けることは、従来のリードと比べて電極の配置の修正をもたらすことになる。図６Ａ及び図６Ｂは、係止ユニットを備えたリードの２つの実施形態と、刺激のためにかつ係止ユニットに対する配置のために配置された電極の２つの異なるセットとを示している。図６Ａ及び図６Ｂは各々、リード係止ユニット６５０がその上に配置されたリード本体６０６の遠位部分を示している。電極配置は、図６Ａ及び図６Ｂの２つの実施形態の間で異なっている。
【００５７】
リード本体６０６の遠位部分は、複数の離間した電極６３４を含む。電極６３４は、第１セット６６０及び第２セット６６２の２つの異なるセットに配置される。第１セットの電極６６０は、少なくともいくつかの実施形態において、全ての係止ユニット６５０よりも遠位側にあり、主として患者組織を刺激するように位置決めされる。
【００５８】
第２セット６６２の電極は、第１セット６６０から離間し、各係止ユニット６５０のうちの１つ又はそれよりも多くに対して近位にある。少なくともいくつかの実施形態において、第２セット６６２の電極は、係止ユニットの効果を安定化させるか又は高め、又は蛍光透視画像上の係止ユニットの部位の識別に役立たせることができる。少なくともいくつかの実施形態において、第２セット６６２の電極のうちの１つ又はそれよりも多くはまた、患者組織を刺激するように位置決めされる。少なくともいくつかの実施形態において、第２セット６６２の電極のうちの１つ又はそれよりも多くは、図６Ａ及び図６Ｂに示すように全ての係止ユニット６５０よりも近位側に位置決めされる。
【００５９】
図６Ａ及び図６Ｂの実施形態において、６つの電極６３４は、均一の離間した配置の第１セット６６０でリード本体６０６に配置されるが、限定するわけではないが、２、４、８、１０、１２、１４、１６、又はそれよりも多くの電極を含む任意適当な数の電極６３４を任意適当な配置の第１セット６６０で設けることができる。いくつかの実施形態において、最遠位電極は、先端電極とすることができる。図示の実施形態において、第１セット６６０の電極は、第１の距離６７０だけ互いに離間する。しかし、第１セット６６０の電極間隔は均一である必要はないことは理解されるであろう。少なくともいくつかの実施形態において、第１の距離が第１セットの電極の全ての間で均一でない場合に、第２及び第３の距離に対して以下に説明する距離の比較は、第１の距離の全てに適用することになる。
【００６０】
図６Ａ及び図６Ｂの実施形態において、２つの電極６３４は、均一の離間した配置の第２セット６６２でリード本体６０６上に配置されるが、限定するわけではないが、２、３、４、６、８、１０、１２、１４、１６、又はそれよりも多くの電極を含む任意適当な数の電極６３４を任意適当な配置で設けることができる。図示の実施形態において、第２セット６６２の電極は、第２の距離６７２だけ互いに離間する。しかし、第２セット６６２の電極間隔は均一である必要はないことは理解されるであろう。少なくともいくつかの実施形態において、第２の距離が第２セットの電極の全ての間で均一でない場合に、第１及び第３の距離に対して以下に説明する距離の比較は、第２の距離の全てに適用することになる。一部の代替実施形態において、第２セットは単一電極を含み、従って、そのような実施形態は、第２の距離を持たない。
【００６１】
第１セット６６０は、第３の距離６７４だけ第２セット６６２から離間する。第２の距離６７２は、第１の距離６７０よりも大きい。第３の距離は、第２の距離６７２に等しい（図６Ａ）又はそれよりも大きい（図６Ｂ）。少なくともいくつかの実施形態において、第３の距離６７４は、図６Ｂに示すように第２の距離６７２の少なくとも２倍である。少なくともいくつかの実施形態において、第３の距離６７４は、図６Ａ及び図６Ｂの両方に示すように、第１の距離６７２の少なくとも２倍であり、第３の距離６７４は、第１の距離６７２の少なくとも４、５、６、８、１０、１２、１４、又はそれよりも多い倍数とすることができる（図６Ｂを参照）。図６Ｂでは、第１セット６６０の電極は、図６Ａに示す実施形態のものよりも互いに近く離間する。
【００６２】
第１、第２、及び第３の距離は、任意適当な方法によって選択することができる。例えば、第１、第２、及び第３の距離のうちの１つ又はそれよりも多くは、患者の特定の生体構造及びリードを埋込むべき位置に基づいて選択することができる。他の実施形態において、第１、第２、及び第３の距離のうちの１つ又はそれよりも多くは、平均成人、平均成人男性、平均成人女性、平均子供、又は潜在的患者の任意その他のグループ又はサブグループの生体構造、又は任意その他の類似の判断基準に基づいて選択することができる。いくつかの実施形態において、第１、第２、及び第３の距離のうちの１つ又はそれよりも多くは、予想される埋込み又は刺激部位に基づいて選択される。他の実施形態において、第１、第２、及び第３の距離のうちの１つ又はそれよりも多くは、埋込み又は刺激部位の範囲に対して有用であるように選択することができる。
【００６３】
以下に説明するのは、リードの要素のための可能なサイズ及び間隔の例である。それらは例示に過ぎず、他のサイズ及び間隔を有する要素を備えたリードが適切であることは理解されるであろう。それらの例では、電極６３４は、例えば、２〜４ｍｍの範囲を含む１〜５ｍｍの範囲の長手方向長さを有する。第１の距離６７０は、例えば、２．５ｍｍ（図６Ａ）又は１ｍｍ（図６Ｂ）を含む０．５〜４ｍｍの範囲にある。第２の距離６７２は、例えば、５〜７ｍｍの範囲を含む４〜１０ｍｍの範囲にある。第３の距離６７４は、例えば、５〜７ｍｍの範囲（図６Ａ）又は１２〜１６ｍｍの範囲（図６Ｂ）を含む４〜２０ｍｍの範囲又は６〜１６ｍｍの範囲にある。
【００６４】
１つ又はそれよりも多くの係止ユニット６５０が、リード本体６０６上に装着される。図６Ａ及び図６Ｂの図示の実施形態において、係止ユニット６５０のうちの１つ又はそれよりも多くは、第２セット６６２の電極６３４の間に装着される。任意的に、係止ユニットのうちの１つ又はそれよりも多くは、第１セット６６０と第２セット６６２の間の空間（距離６７４によって識別される）に装着される。他の実施形態は、リードに沿って他の位置に装着された追加の係止ユニットを含む場合があることは理解されるであろう。
【００６５】
係止ユニット６５０は、それぞれ図３、４、及び５の係止ユニット３５０、４５０、及び５５０を含む上述の係止ユニットのいずれか、又は特許文献１７に見出される係止ユニットのいずれか、又は任意その他の適切な係止ユニットとすることができる。図６Ａ及び図６Ｂに示す実施形態において、４つの係止ユニット６５０が、リード本体６０６の上に配置されるが、２、３、４、５、６、７、８、９、１０、又はそれよりも多くの係止ユニットを含む任意適当な数の係止ユニット６５０を使用することができる。係止ユニットは、全て同じとすることができ、又は２つ又はそれよりも多くの異なるタイプの係止ユニット（一例として、係止ユニット３５０及び係止ユニット４５０の組合せ又は係止ユニット３５０及び係止ユニット５５０の組合せ、又は係止ユニット５５０及び係止ユニット４５０の組合せ）が存在することができる。係止ユニット６５０は、互いに重ねることができ、又は互いに離間させることができる（図６Ａ及び図６Ｂに示すように）。
【００６６】
図６Ｃは、リード本体６０６の一部分及び１つの係止ユニット６５０の断面図である。図６Ｃの係止ユニット６５０は、係止要素６５２及びリード取付け要素６５４を含む。リード取付け要素６５４は、リード本体６０６の一部分を受入れる中心取付け内腔を定める管状（例えば、円筒形）構成を有する。係止要素６５２は、リード取付け要素６５４にわたって延びる円錐体６５２を含む。円錐体がリード取付け要素６５４にわたって及びそれを超えて半径方向に延びるように、円錐体６５２は、リード取付け要素６５４よりも長い。半径方向に延びる円錐体は、リードを周囲組織に係止する。
【００６７】
様々な方法を使用して、係止ユニット６５０をリード本体６０６に取付けることができる。例えば、各個々の係止ユニット６５０は、リード本体に沿って望ましい位置までリード本体６０６上を摺動することができる。いくつかの実施形態において、係止ユニット６５０は、リード本体上を摺動する前に膨脹される。一例として、シリコーン係止ユニット６５０は、係止ユニットをそれがリード本体上を摺動することができるように膨脹させるためにヘプタン溶液で処理することができる。ヘプタンが蒸発すると、係止ユニット６５０は、その元の寸法に戻ることになる。いくつかの実施形態において、係止ユニット６５０を置くべきリード本体６０６の一部分を融除して、その位置でのリード本体の直径を縮小することができる。いくつかの実施形態において、生体適合性接着剤を使用して、リード本体６０６へ係止ユニット６５０を取付け又はその取付けを強化することができる。リード本体６０６上への係止ユニット６５０の摺動前又は後に、そのような接着剤を塗布することができる。
【００６８】
図７は、制御モジュール内に配置された電子サブアセンブリ７１０を含む電気刺激システム７００の構成要素の一実施形態の概略概観図である。電気刺激システムは、より多い、より少ない、又は異なる構成要素を含むことができ、本明細書に引用する刺激器の参考文献に開示されたような構成を含む様々な異なる構成を有することができることは理解されるであろう。
【００６９】
電気刺激システムの構成要素（例えば、電源７１２、アンテナ７１８、受信機７０２、及びプロセッサ７０４）の一部は、必要に応じて埋込可能パルス発生器の密封ハウジング内の１つ又はそれよりも多くの回路基板又は同様の担体上に位置決めすることができる。例えば、１次バッテリ又は再充電可能バッテリのようなバッテリを含むいずれの電源７１２も使用することができる。他の電源の例は、引用によって本明細書に引用によって組み込まれている特許文献１８に説明する電源を含む超コンデンサ、原子力又は原子バッテリ、機械共振器、赤外線コレクター、熱動力エネルギ源、曲げ動力エネルギ源、バイオエネルギ電源、燃料電池、生体電気電池、及び浸透圧ポンプなどを含む。
【００７０】
別の代替手段として、電力は、任意的なアンテナ７１８又は２次アンテナを通して誘導結合により外部電源によって供給することができる。外部電源は、ユーザの皮膚上に装着されたデバイス内又は恒久的又は定期的にユーザの近くに設けられるユニット内とすることができる。
【００７１】
電源７１２が再充電可能バッテリである場合に、バッテリは、必要に応じて任意的なアンテナ７１８を使用して再充電することができる。アンテナを通してバッテリをユーザの外部の再充電ユニット７１６に誘導的に結合することにより、再充電するためにバッテリに電力を提供することができる。そのような配置の例は、上で識別された参考文献に見出すことができる。
【００７２】
一実施形態において、電流は、パドル又はリード本体上の電極１３４によって放出され、電気刺激システムの近くの神経繊維、筋繊維、又は他の身体組織を刺激する。プロセッサ７０４は、一般的に、電気刺激システムのタイミング及び電気的特性を制御するために含まれる。例えば、プロセッサ７０４は、必要に応じてパルスのタイミング、周波数、強度、持続時間、及び波形のうちの１つ又はそれよりも多くを制御することができる。これに加えて、プロセッサ７０４は、必要に応じていずれの電極を使用して刺激を与えることができるかを選択することができる。いくつかの実施形態において、プロセッサ７０４は、いずれの電極がカソードであっていずれの電極がアノードであるかを選択する。いくつかの実施形態において、プロセッサ７０４を使用して、いずれの電極が望ましい組織において最も有用な刺激を与えるかを識別する。
【００７３】
あらゆるプロセッサを使用することができ、例えば、一定の間隔でパルスを生成する電子デバイスと同じほど簡単にすることができ、又はプロセッサは、例えば、パルス特性の修正を可能にする外部プログラミングユニット７０８からの命令を受信及び解釈することができる。図示の実施形態において、プロセッサ７０４は、受信機７０２に結合され、それは、次に、任意的なアンテナ７１８に結合される。これは、プロセッサ７０４が外部供給源から命令を受信し、例えば、必要に応じて電極のパルス特性及び選択を指令することを可能にする。
【００７４】
一実施形態において、アンテナ７１８は、プログラミングユニット７０８によってプログラムされる外部遠隔測定ユニット７０６から信号（例えば、ＲＦ信号）を受信することができる。プログラミングユニット７０８は、遠隔測定ユニット７０６の外部又はその一部とすることができる。遠隔測定ユニット７０６は、ユーザの皮膚上に着用されるデバイスとすることができ、又はユーザが担持することができ、必要に応じてポケットベル、携帯電話、又は遠隔制御器に類似する形態を有することができる。別の代替手段として、遠隔測定ユニット７０６は、ユーザが着用又は担持することはできず、ホームステーションにおいて又は臨床医のオフィスにおいてのみ利用可能にすることができる。プログラミングユニット７０８は、電気刺激システム７００に送信するための情報を遠隔測定ユニット７０６に提供することができるあらゆるユニットとすることができる。プログラミングユニット７０８は、遠隔測定ユニット７０６の一部とすることができ、又は無線又は有線接続により遠隔測定ユニット７０６に信号又は情報を提供することができる。適切なプログラミングユニットの一例は、ユーザ又は臨床医が作動させて信号を遠隔測定ユニット７０６に送信するコンピュータである。
【００７５】
アンテナ７１８及び受信機７０２を通してプロセッサ７０４に送信される信号を使用して、電気刺激システムの作動を修正又はそうでなければ指令することができる。例えば、信号を使用してパルス持続時間、パルス周波数、パルス波形、及びパルス強度のうちの１つ又はそれよりも多くの修正のような電気刺激システムのパルスの修正を行うことができる。信号はまた、電気刺激システム７００に指令して作動を停止し、作動を開始し、バッテリの充電を開始し、又はバッテリの充電を停止させることができる。他の実施形態において、刺激システムは、アンテナ７１８又は受信機７０２を含まず、プロセッサ７０４は、プログラムされたように作動する。
【００７６】
任意的に、電気刺激システム７００は、遠隔測定ユニット７０６又は信号を受信することができる別のユニットに信号を送信して戻すためにプロセッサ７０４及びアンテナ７１８に結合された送信機（図示せず）を含むことができる。例えば、電気刺激システム７００は、電気刺激システム７００が適正に作動しているか否かを示し、又はバッテリを充電する必要がある時又はバッテリに残っている電荷のレベルを示す信号を送信することができる。プロセッサ７０４はまた、ユーザ又は臨床医が特性を決定又は検証することができるように、パルス特性に関する情報を送信することができる。
【００７７】
以上の明細及び例は、本発明の製造及び使用の説明を提供するものである。本発明の多くの実施形態は、本発明の精神及び範囲から逸脱することなく作ることができるので、本発明はまた、以下に添付した特許請求の範囲に属するものである。
【図１】
2016518219.tif 000003
【図２Ａ】
2016518219.tif 000004
【図２Ｂ】
2016518219.tif 000005
【図３】
2016518219.tif 000006
【図４】
2016518219.tif 000007
【図５】
2016518219.tif 000008
【図６Ａ】
2016518219.tif 000009
【図６Ｂ】
2016518219.tif 000010
【図６Ｃ】
2016518219.tif 000011
【図７】
2016518219.tif 000012
【国際調査報告】
2016518219.tif 000013
2016518219.tif 000014